(57)【要約】      （修正有）【課題】キッチン使用時にキッチンユニット本体の上面を簡単に拡大できるキッチンユニットを提供する。【解決手段】上面にシンク１６と加熱調理機器１４が設けられたキッチンユニット本体１２と、キッチンユニット本体１２の正面に垂下配置された状態からキッチンユニット本体１２の上面とほぼ平行な状態となるように回動される補助カウンター２０と、補助カウンター２０とは隣接して配置され、かつキッチンユニット本体１２の内部空間に配置された状態からキッチンユニット本体１２の上面とほぼ平行な状態となるように外方に引き出されるスライドカウンター２２とを備えている。補助カウンター２０の側面に横Ｊ字状のガイド溝を有するガイド部材３０を配設した。スライドカウンター２２の側面にガイド溝に摺動可能に嵌入されるスライド用突起部を配設した。【選択図】図１
2014121345.tif 000002
【特許請求の範囲】
【請求項１】
上面にシンクと加熱調理機器が設けられたキッチンユニット本体と、前記キッチンユニット本体の正面に垂下配置された状態から前記キッチンユニット本体の上面とほぼ同一面となるように回動される補助カウンターと、前記補助カウンターとは隣接して配置され、かつ前記キッチンユニット本体の内部空間に配置された状態から前記キッチンユニット本体の上面とほぼ同一面となるように外方に引き出されるスライドカウンターとを備え、
前記補助カウンターの、前記スライドカウンターの側面と対向する側面に、横Ｊ字状のガイド溝を長さ方向に設けたガイド部材を配設し、
前記スライドカウンターの、前記ガイド部材の前記ガイド溝と対向する側面に、前記ガイド溝に摺動可能に嵌入されるスライド用突起部を配設したことを特徴とするキッチンユニット。
【請求項２】
請求項１に記載のキッチンユニットにおいて、
前記ガイド部材は、
前記補助カウンターの側面の長さとほぼ同等の長さを有しており、
前記ガイド溝が長さ方向に延在するように設けられ、かつ前記ガイド溝の湾曲部と反対側の端部が外側方に開口しており、
前記補助カウンターと共に前記キッチンユニット本体の上面とほぼ平行に位置された状態では前記ガイド溝の湾曲部側の端部が湾曲部と反対側の端部より上位に位置するようにされて
形成されていることを特徴とするキッチンユニット。
【請求項３】
請求項１又は２に記載のキッチンユニットにおいて、
前記ガイド部材は、
前記補助カウンターと共に前記キッチンユニット本体の上面とほぼ平行に位置された状態では前記ガイド溝の湾曲部側の端部が湾曲部と反対側の端部より上位に位置するようにされ、かつ湾曲部側の端部に下方に突出し前記スライド用突起部を収容する凹部が設けられて
形成されていることを特徴とするキッチンユニット。
【請求項４】
請求項１乃至３のいずれかに記載のキッチンユニットにおいて、
前記スライドカウンターの底面に、引出し方向の後方に突出する保持部材を配設し、
前記キッチンユニット本体の内部空間内に、前記保持部材を摺動自在に支持する支持部材を設けたことを特徴とするキッチンユニット。
【請求項５】
請求項１乃至４のいずれかに記載のキッチンユニットにおいて、
前記スライドカウンターの、前記キッチンユニット本体の正面と対向する背面に、係止用突起部を設け、
前記キッチンユニット本体の、前記係止用突起部と対向する正面に、前記係止用突起部を嵌入する止め孔を設けたことを特徴とするキッチンユニット。
【発明の詳細な説明】
【技術分野】
【０００１】
本発明は、キッチンユニット本体の上面に加熱調理機器とシンクが設けられた対面式のキッチンユニットに関する。
【背景技術】
【０００２】
近年、システムキッチンの分野において、主婦が炊事作業中でも家族とコミュニケーションを取るために、対面式キッチンユニットが採用されている（ 特許文献１参照）。このため既設の壁付け式のキッチンユニットを対面式のキッチンユニットに変更したいとの要望がある。その一方で、対面式のキッチンユニットの場合は居住空間を圧迫するので、居住空間のゆとりを確保したいとの要望もある。
【０００３】
居住空間のゆとりを確保するためには、使用してないときはキッチンユニット本体の上面がなるべく縮小化しており、かつ使用するときは状況に応じて拡大できることが望まれる。
例えば、従来のキッチンユニットとして、キッチンユニット本体の上面に平行にボックス型の補助カウンタを出し入れ自在に設けることが知られている（特許文献２参照）。
【０００４】
本願出願人等は、先にキッチン使用時にキッチンユニット本体の上面を有効に拡大できるキッチンユニットを考案し、この考案を実用新案登録出願した（特許文献３参照）。
この考案は次のように構成されている。すなわち、キッチンユニット本体の上面に加熱調理機器とシンクが設けられた対面式のキッチンユニットであって、キッチンユニット本体の正面の上側に、キッチンユニット本体の内部空間に配置された状態からキッチンユニット本体の上面とほぼ平行な状態となるように外方に移動される回転式の補助カウンターとスライドカウンターとを出し入れ自在に、かつ並列に設けた。キッチンユニット本体の正面の下側には、キッチンユニット本体の内部空間に配置された状態からキッチンユニット本体の外方に移動される引出し式椅子を出し入れ自在に配設した。
【先行技術文献】
【特許文献】
【０００５】
【特許文献１】特開２００６−２８８４７５号公報
【特許文献２】実開平７−１８３５号公報
【特許文献３】実用新案登録第３１５９８９１号公報
【発明の概要】
【発明が解決しようとする課題】
【０００６】
しかし、上記考案のキッチンユニットにおいては、スライドカウンターを出し入れ自在に移動させるために、スライドカウンターの背面に棒状の支持部材を突出させて設け、この支持部材の先端に車輪を設け、さらにこの車輪を所定方向にガイドするガイドレールを、キッチンユニット本体の内部空間の内面に取り付けている。
【０００７】
このため、スライドカウンターの背面に棒状の支持部材を介して車輪を設けたり、ガイドレールを組み立てる等の作業が煩雑であり、しかもキッチンユニット本体内にガイドレールを設置するためのスペースが必要になるという課題がある。
【０００８】
本発明は、上記の課題を解決するためになされたもので、キッチン使用時にキッチンユニット本体の上面を簡単に拡大でき、ガイド部材の組み立て作業が容易であるキッチンユニットを提供することを目的とする。
【課題を解決するための手段】
【０００９】
以下の構成はそれぞれ上記の課題を解決するための手段である。
〈構成１〉
上面にシンクと加熱調理機器が設けられたキッチンユニット本体と、前記キッチンユニット本体の正面に垂下配置された状態から前記キッチンユニット本体の上面とほぼ同一面となるように回動される補助カウンターと、前記補助カウンターとは隣接して配置され、かつ前記キッチンユニット本体の内部空間に配置された状態から前記キッチンユニット本体の上面とほぼ同一面となるように外方に引き出されるスライドカウンターとを備え、前記補助カウンターの、前記スライドカウンターの側面と対向する側面に、横Ｊ字状のガイド溝を長さ方向に設けたガイド部材を配設し、前記スライドカウンターの、前記ガイド部材の前記ガイド溝と対向する側面に、前記ガイド溝に摺動可能に嵌入されるスライド用突起部を配設したことを特徴とするキッチンユニット。
【００１０】
〈構成２〉
構成１に記載のキッチンユニットにおいて、前記ガイド部材は、前記補助カウンターの側面の長さとほぼ同等の長さを有しており、前記ガイド溝が長さ方向に延在するように設けられ、かつ前記ガイド溝の湾曲部と反対側の端部が外側方に開口しており、前記補助カウンターと共に前記キッチンユニット本体の上面とほぼ平行に位置された状態では前記ガイド溝の湾曲部側の端部が湾曲部と反対側の端部より上位に位置するようにされて形成されていることを特徴とするキッチンユニット。
【００１１】
〈構成３〉
構成１又は２に記載のキッチンユニットにおいて、前記ガイド部材は、前記補助カウンターと共に前記キッチンユニット本体の上面とほぼ平行に位置された状態では前記ガイド溝の湾曲部側の端部が湾曲部と反対側の端部より上位に位置するようにされ、かつ湾曲部側の端部に下方に突出し前記スライド用突起部を収容する凹部が設けられて形成されていることを特徴とするキッチンユニット。
【００１２】
〈構成４〉
構成１乃至３のいずれかに記載のキッチンユニットにおいて、前記スライドカウンターの底面に、引出し方向の後方に突出する保持部材を配設し、前記キッチンユニット本体の内部空間内に、前記保持部材を摺動自在に支持する支持部材を設けたことを特徴とするキッチンユニット。
【００１３】
〈構成５〉
構成１乃至４のいずれかに記載のキッチンユニットにおいて、前記スライドカウンターの、前記キッチンユニット本体の正面と対向する背面に、係止用突起部を設け、前記キッチンユニット本体の、前記係止用突起部と対向する正面に、前記係止用突起部を嵌入する止め孔を設けたことを特徴とするキッチンユニット。
【発明の効果】
【００１４】
〈構成１の効果〉
補助カウンターを回動してガイド部材をキッチンユニット本体の上面とほぼ平行に位置させた状態で、スライドカウンターを、キッチンユニット本体の内部空間から外方に引き出すと共にスライド用突起部をガイド溝に嵌入させながら横Ｊ字状に摺動させてキッチンユニット本体の上面とほぼ同一面となるように外方に出し入れできるので、キッチン使用時にキッチンユニット本体の上面を簡単に拡大できる。
補助カウンターのみを外方に引き出してスライドカウンターを外方に引き出さない状態とすることにより、調理人がスライドカウンターの引出しスペースに入り補助カウンターを利用して配膳スペースが広い状態で調理できる。
〈構成２の効果〉
ガイド部材を補助カウンターの側面の長さとほぼ同等の長さとして補助カウンターの側面に配設したことにより、ガイド部材をキッチンユニット本体の内部空間に配設した場合と比べてガイド部材の組み立て作業が容易であり、しかもスペースファクタも良好になるという効果を奏する。
〈構成３の効果〉
スライドカウンターをキッチンユニット本体の上面とほぼ同一面となるように外方に引き出したときスライドカウンターのスライド用突起部がガイド溝終端部の凹部に収まり、スライドカウンターをガイド部材に安定した状態で保持できる。またスライドカウンターのスライド用突起部がガイド溝の湾曲部の終端部の凹部に収まることによりスライドカウンターの位置決めとなる。したがって、スライドカウンターを着実に出し入れできる。
〈構成４の効果〉
スライドカウンターを安定よく出し入れできる。スライドカウンターをキッチンユニット本体の上面とほぼ同一面としたとき、より堅固な平面状態に保持することができる。
〈構成５の効果〉
スライドカウンターをキッチンユニット本体の上面とほぼ同一面としたときに係止用突起部を止め孔に嵌入することにより、スライドカウンターをキッチンユニット本体に対して着実に係止できる。
【図面の簡単な説明】
【００１５】
【図１】実施例１のキッチンユニットを示す平面図である。
【図２】同正面図である。
【図３】補助カウンターに取り付けられてスライドカウンターの動きをガイドするガイド部材を示す説明図である。
【図４】ガイド部材を補助カウンターの側面に取り付けた状態と補助カウンターの動きとを示す説明図である。
【図５】（ａ）はスライドカウンターを示す平面図、（ｂ）はスライドカウンターをキッチンユニット本体の内部空間内に収納した状態を示す正面図である。
【図６】キッチンユニットにおけるスライドカウンターの動きを示す図で、（ａ）は同スライドカウンターが動く前の状態を示す概略図、（ｂ）は同スライドカウンターが動いた後の状態を示す概略図である。
【図７】スライドカウンターの動きを示す説明図で、（ａ）は同スライドカウンターが動く前の状態を示す図、（ｂ）及び（ｃ）は同スライドカウンターが動いている途中の状態を示す説明図、（ｄ）はスライドカウンターが動いた後の状態を示す説明図である。
【図８】図７（ｄ）の状態にあるキッチンユニットを示す平面図である。
【発明を実施するための形態】
【００１６】
以下、本発明の実施の形態を詳細に説明する。
【実施例１】
【００１７】
図１は実施例１のキッチンユニットを示す平面図、図２は同正面図である。
これらの図において、キッチンユニット１０は、キッチンユニット本体１２の上面に加熱調理機器１４とシンク１６が設けられた対面式の構造をなすものである。加熱調理機器１４は、ガスコンロ式でもＩＨクッキングヒーター式でもよい。
【００１８】
図示を省略したが、加熱調理機器１４およびシンク１６には、給電、ガス、給水、給湯、排水等の各種配管に対応する周知の管体が連結されている。
【００１９】
キッチンユニット本体１２の正面の上位に、２枚の平板状の補助カウンター２０と１枚の平板状のスライドカウンター２２とが設けられている。スライドカウンター２２が中央に位置し、その両隣に補助カウンター２０が位置するようにほぼ同一平面に並列に設けられている。
【００２０】
補助カウンター２０とスライドカウンター２２とはキッチンユニットの使用時に回動あるいは引き出されてキッチンユニット本体１２の上面とほぼ同一平面となる。スライドカウンター２２を示す図形には、分かり易くするために点模様を付している。
【００２１】
補助カウンター２０は、不使用時には調理作業等の邪魔にならないようにキッチンユニット本体１２の正面上部にヒンジで係止され垂下配置されてキッチンユニット本体１２の外面から外方に突出しないようにされている。補助カウンター２０は、キッチンユニット本体１２の正面に垂下配置された状態からヒンジを介し外方に回動されてキッチンユニット本体１２の上面とほぼ同一面とされる。
【００２２】
スライドカウンター２２は、不使用時にはキッチンユニット本体１２の内部空間１８内に、キッチンユニット本体１２の上面とほぼ平行な状態で収納されている。使用時にはこの収納状態から外方に引き出されてキッチンユニット本体１２の上面とほぼ同一面とされる。
【００２３】
キッチン使用時に補助カウンター２０とスライドカウンター２２を外方に引き出すことにより、キッチンユニット本体１２の上面とほぼ同一面とされてキッチンユニット本体１２の上面を実質的に拡大できる。また、補助カウンター２０のみを外方に引き出してスライドカウンター２２を外方に引き出さない状態とすることにより、調理人がスライドカウンター２２の引出しスペースに入り込んで２枚の補助カウンター２０を利用し配膳スペースを広くした状態で調理することができる。
【００２４】
キッチンユニット本体１２の正面の下位には、２台の引出し式椅子３６、物品収納部４２、配管設備を備えるＰＳ４０等が適宜配設されている。必要に応じてキッチンユニット本体１２の上面の側面側外縁部に、シンク１６もしくは加熱調理機器１４からの水はねもしくは油はねを受ける遮蔽板４４を起立させて設けてもよい。遮蔽板４４はキッチンユニット本体１２に対して固定あるいはキッチンユニット本体１２の上面の側面側外縁部を支点として回動自在に設けられる。符号２８はキッチンユニット本体１２の支持脚を示している。
【００２５】
引出し式椅子３６は、必要に応じてキッチンユニット本体１２の内部空間１８に配置された状態からキッチンユニット本体１２の外方に移動される。引出し式椅子３６は、キッチンユニット本体１２内への出し入れを自在にする車輪３８と小物品等の収容を可能にする内部空間（図示せず）とを備えている。
【００２６】
図３は補助カウンター２０に取り付けられてスライドカウンター２２の動きをガイドするガイド部材３０を示す説明図、図４はガイド部材３０を補助カウンター２０の側面に取り付けた状態と補助カウンター２０の動きとを示す説明図である。
【００２７】
ガイド部材３０は、図１に示すように補助カウンター２０の、スライドカウンター２２の側面と対向する側面に配置されている。ガイド部材３０には補助カウンター２０の側面にビスで固定するためのビス孔６２が長さ方向方向に沿って３箇所に設けられている。
【００２８】
ガイド部材３０は、補助カウンター２０の側面の長さとほぼ同等の長さを有しており、図３に示すように横Ｊ字状のガイド溝３４が長さ方向に延在するように設けられている。ガイド溝３４の、湾曲部３５と反対側の端部４６が外側方に開口しており、この開口された端部４６が後述するスライド用突起部３２の出入り口となる。
【００２９】
ガイド部材３０が補助カウンター２０に取り付けられて図４（ｂ）に示すように補助カウンター２０と共にキッチンユニット本体１２の上面とほぼ平行に位置された状態では、ガイド溝３４の湾曲部側の端部４８が湾曲部３５と反対側の端部４６より上位に位置するように形成されている。
【００３０】
ガイド溝３４の湾曲部側の端部４８に、下方に突出する凹部５０が設けられている。凹部５０は、スライドカウンター２２のスライド用突起部３２を収容できる大きさを有するほぼ半円形状に形成されている。
【００３１】
なお、補助カウンター２０は、図４（ａ）に示すように矢印５６の方向に回動され、図４（ｂ）に示すようにキッチンユニット本体１２の上面とほぼ同一面とされたとき、キッチンユニット本体１２に回動自在に取り付けられたブラケット４８により支持される。
【００３２】
図５の（ａ）はスライドカウンター２２を示す平面図、（ｂ）はスライドカウンター２２をキッチンユニット本体１２の内部空間１８内に収納した状態を示す正面図である。
【００３３】
スライドカウンター２２の底面に、引出し方向の後方に突出する保持部材２４が配設されている。保持部材２４を摺動自在に支持する支持部材２６がキッチンユニット本体１２の内部空間１８内に設けられている。支持部材２６は、図２に示すように上面中央部に凹部２６ａが設けられている。保持部材２４は凹部２６ａ内で保持されて摺動する。スライドカウンター２２の底面の前方に取手６０が設けられている。
【００３４】
スライドカウンター２２の、ガイド部材３０のガイド溝３４と対向する側面に、ガイド溝３４に摺動可能に嵌入されるスライド用突起部３２が設けられている。スライドカウンター２２の、キッチンユニット本体１２の正面と対向する背面に、係止用突起部５２が設けられている。キッチンユニット本体１２の、係止用突起部５２と対向する正面に、係止用突起部５２を嵌入する止め孔５４が設けられている。
【００３５】
図６は、キッチンユニット１０におけるスライドカウンター２０の動きを示す図で、（ａ）は同スライドカウンターが動く前の状態を示す概略図、（ｂ）は同スライドカウンターが動いた後の状態を示す概略図である。
【００３６】
図７は、スライドカウンター２０の動きを示す説明図で、（ａ）は同スライドカウンターが動く前の状態を示す図、（ｂ）及び（ｃ）は同スライドカウンターが動いている途中の状態を示す説明図、（ｄ）はスライドカウンターが動いた後の状態を示す説明図である。図８は、図７（ｄ）の状態におけるキッチンユニット１０を示す平面図である。
【００３７】
スライドカウンター２２は、図７の（ａ）ないし（ｄ）に示す過程を経てキッチンユニット本体１２の上面とほぼ同一面となるようにされる。
【００３８】
図７（ａ）に示すようにガイド部材３０は予め補助カウンター２０と共にキッチンユニット本体１２の正面に垂下配置された状態から外方に回動されてキッチンユニット本体１２の上面とほぼ同一面となるようにされる。
【００３９】
この状態から図７（ｂ）に示すようにスライドカウンター２２は取手６０を利用してキッチンユニット本体１２の内部空間１８内から図中右方に引き出される。このとき、スライド用突起部３２をガイド溝３４に嵌入させながら摺動させる。
【００４０】
図７（ｃ）に示すようにスライド用突起部３２がガイド溝の湾曲部３５を曲がって上方に移動し凹部５０の近傍に達したときに、スライド用突起部３２を中心としてスライドカウンター２２を若干傾動させる。
【００４１】
スライドカウンター２２を若干傾動させてスライドカウンター２２の後端を上方に若干引き上げながら押し出して係止用突起部５２をキッチンユニット本体１２の止め孔５４に嵌入する。
【００４２】
係止用突起部５２は、スライド用突起部３２が止め孔５４に嵌入したときガイド溝端部４８の凹部５０に収まる。このようにしてスライドカウンター２２をキッチンユニット本体１２の上面とほぼ同一面とする。
【００４３】
スライドカウンター２２を外方に引き出しスライド用突起部３２をガイド溝３４の凹部５０に収めてキッチンユニット本体１２の上面とほぼ同一面となるようにすることより、スライドカウンター２２をガイド部材３０に安定した状態で保持できると共にスライドカウンター２２の位置決めとなる。したがって、スライドカウンター２２を着実に出し入れできる。
【符号の説明】
【００４４】
１０  キッチンユニット
１２  キッチンユニット本体
１４  加熱調理機器
１６  シンク
１８  内部空間
２０  補助カウンター
２２  スライドカウンター
２４  保持部材
２６  支持部材
２８  支持脚
３０  ガイド部材
３２  スライド用突起部
３４  ガイド溝
３５  湾曲部
３６  引出し式椅子
３８  車輪
４０  ＰＳ
４２  物品収納部
４４  遮蔽板
４６  ガイド溝の湾曲部と反対側の端部
４８  ガイド溝の湾曲部側の端部
５０  凹部
５２  係止用突起部
５４  止め孔
５６  矢印
５８  ブラケット
６０  取手
６２  ビス孔
【図１】
2014121345.tif 000003
【図２】
2014121345.tif 000004
【図３】
2014121345.tif 000005
【図４】
2014121345.tif 000006
【図５】
2014121345.tif 000007
【図６】
2014121345.tif 000008
【図７】
2014121345.tif 000009
【図８】
2014121345.tif 000010